【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
第１の軸と、
第２の軸と、
前記第１の軸と共に回転しながら前記第１の軸に対する位置が定まる第１の回転部材と、
前記第２の軸と共に回転する第２の回転部材と、
前記第１の回転部材の回転範囲と前記第２の回転部材の回転範囲とが重なる部分にあり、前記第１の回転部材と前記第２の回転部材とによる力を受けながら位置が移動する移動部と、
前記移動部が移動するときに圧縮または伸長して緩衝する緩衝部材と
を有し、
前記移動部を介して前記第１の回転部材と前記第２の回転部材との間のトルクを伝達することを特徴とする駆動力伝達装置。
【請求項２】
前記第１の回転部材は、前記第１の軸に固定された内輪であり、
前記第２の回転部材は、ギア又は歯付きプーリに固定された外輪であり、
前記移動部は、前記内輪が径方向外向きに突出した１又は２以上の第１の係合部と、前記外輪が径方向内向きに突出した１又は２以上の第２の係合部とを有し、
前記緩衝部材は、前記第１の係合部及び前記第２の係合部のいずれか一方の周方向端面に固着され、他方の係合部の周方向端面に係合し、
前記緩衝部材は、前記係合によってトルクを伝達する
ことを特徴とする請求項１に記載の駆動力伝達装置。
【請求項３】
前記第２の係合部の内周面が、前記内輪の、前記第１の係合部が設けられていない部分の外周面に対して回転方向に摺動可能に支持されている
ことを特徴とする請求項２に記載の駆動力伝達装置。
【請求項４】
前記第１の回転部材は、前記第１の軸に回転方向に固定され、軸方向に摺動可能に設けられ、
前記第２の回転部材は、前記第２の軸に結合され、前記第１の回転部材と、トルクを伝達することができるように係合し、トルクの伝達の際前記第１の回転部材に前記軸方向にスラスト力を生じさせ、
前記緩衝部材は、前記スラスト力によって前記第１の回転部材が前記軸方向に移動する際に、該第１の回転部材によって弾性的に圧縮されること
を特徴とする請求項１に記載の駆動力伝達装置。
【請求項５】
前記第１の軸と前記第２の軸が互いに平行に配置され、
前記第１及び第２の回転部材がハスバギアである
ことを特徴とする請求項４に記載の駆動力伝達装置。
【請求項６】
シート状媒体を積載する媒体積載部から、前記シート状媒体を繰り出す繰り出し部と、
前記繰り出し部によって繰り出されたシート状媒体を搬送する搬送部と、
駆動源と、
前記駆動源により駆動されて、搬送部を駆動する搬送駆動部と、
前記繰り出し部を駆動する繰り出し駆動部と、
前記搬送駆動部から前記繰り出し駆動部へ駆動力の伝達を行う駆動力伝達部とを有し、
前記駆動力伝達部は、
前記搬送駆動部から前記繰り出し駆動部への駆動力の伝達をオン・オフする断続部と、
前記搬送駆動部から前記断続部へ駆動力を伝達するとともに、前記断続部の前記オン・オフの動作による負荷の変化を吸収するフレキシブル動力伝達部とを有する
媒体搬送装置。
【請求項７】
前記フレキシブル動力伝達部として、請求項１乃至５のいずれかに記載の駆動力伝達装置が用いられている
ことを特徴とする請求項６に記載の媒体搬送装置。
【請求項８】
請求項６又は７に記載の媒体搬送装置と、
前記シート状媒体上の画像を光学的に読み取る読み取り部とを備え、
前記搬送部が、前記シート状媒体を搬送して前記読み取り部を通過させるものであることを特徴とする画像読取装置。
【請求項９】
請求項６又は７に記載の媒体搬送装置と、
前記シート状媒体へのトナー画像の転写を行う転写部とを備え、
前記搬送部が、前記シート状媒体を搬送して前記転写部を通過させるものであることを特徴とする画像形成装置。
【手続補正２】
【補正対象書類名】明細書
【補正対象項目名】０００５
【補正方法】変更
【補正の内容】
【０００５】
本発明の一つの態様の駆動力伝達装置は、
第１の軸と、
第２の軸と、
前記第１の軸と共に回転しながら前記第１の軸に対する位置が定まる第１の回転部材と、
前記第２の軸と共に回転する第２の回転部材と、
前記第１の回転部材の回転範囲と前記第２の回転部材の回転範囲とが重なる部分にあり、前記第１の回転部材と前記第２の回転部材とによる力を受けながら位置が移動する移動部と、
前記移動部が移動するときに圧縮または伸長して緩衝する緩衝部材と
を有し、
前記移動部を介して前記第１の回転部材と前記第２の回転部材との間のトルクを伝達することを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明の媒体搬送装置は、
シート状媒体を積載する媒体積載部から、前記シート状媒体を繰り出す繰り出し部と、
前記繰り出し部によって繰り出されたシート状媒体を搬送する搬送部と、
駆動源と、
前記駆動源により駆動されて、搬送部を駆動する搬送駆動部と、
前記繰り出し部を駆動する繰り出し駆動部と、
前記搬送駆動部から前記繰り出し駆動部へ駆動力の伝達を行う駆動力伝達部とを有し、
前記駆動力伝達部は、
前記搬送駆動部から前記繰り出し駆動部への駆動力の伝達をオン・オフする断続部と、
前記搬送駆動部から前記断続部へ駆動力を伝達するとともに、前記断続部の前記オン・オフの動作による負荷の変化を吸収するフレキシブル動力伝達部とを有する。
【手続補正５】
【補正対象書類名】明細書
【補正対象項目名】００４２
【補正方法】変更
【補正の内容】
【００４２】
図２のうち、プーリ２０３から第３搬送ローラ対１０７のシャフト７０１までは、モータ２００の駆動力を搬送駆動ローラ５１、６１、７１に伝達し、搬送駆動ローラ５１、６１、７１を含む搬送部１２２を駆動する搬送駆動部ＤＶｔを構成し、
ギア２３４、２３６、２３８、２３９、２４０は、電磁クラッチ２３０の出力軸２３３から、ピックアップローラ１０２、及び給紙ローラ１０３へ駆動力を伝達し、ピックアップローラ１０２及び給紙ローラ１０３を含む繰り出し部１２１を駆動する繰り出し駆動部ＤＶｐを構成し、カップリング２２０、ギア２１８、２２１、２２２、２２４、２２６、２３２は、搬送駆動部ＤＶｔから電磁クラッチ２３０の入力軸２３１に駆動力を伝達する駆動力伝達部ＤＶｑを構成する。
【手続補正６】
【補正対象書類名】明細書
【補正対象項目名】００７９
【補正方法】変更
【補正の内容】
【００７９】
図８乃至図１１の例では、緩衝作用を有する動力伝達機構として、一対のハスバギアと、ハスバギアの軸方向に生じるスラスト力で弾性変形する緩衝部材との組合せを用いているが、本発明はこれに限定されない。例えば、回転方向に対して傾きを有する面同士が係合するカップリングにおいて発生するスラスト力を利用するものであっても良い。例えば、図１３に示すように、互いに整列した第１のシャフト６６１及び第２のシャフト６６２と、第１のシャフト６６１に対して回転方向に固定され、軸方向に摺動可能に設けられた第１のフランジ状部材６６３と、第２のシャフト６６２に対して回転方向及び軸方向に固定された第２のフランジ状部材６６４とを有し、第１のフランジ状部材６６３と第２のフランジ状部材６６４が互いに噛み合う鋸刃状の端面（周方向に展開してみたときに鋸刃状となる端面）６６５、６６６、即ち回転方向及び軸方向に対して傾斜した部分６６５ａ、６６６ａと、軸方向に延びた部分６６５ｂ、６６６ｂを交互に有する端面６６５、６６６を有し、シャフト６６２を符号ＤＲａで示す方向に回転させて、該傾斜した部分６６５ａ、６６６ａでトルクを伝える際に生じる軸方向の力（スラスト力）Ｆｔで第１のフランジ状部材６６３が緩衝部材６３０を弾性的に圧縮しながら軸方向に移動し、緩衝部材６３０の圧縮の程度がスラスト力、従って伝達するトルクに依存するようにしたものを用いても良い。